(57)【要約】【課題】低リスクの製品の選定をサポートする。【解決手段】製品リスク情報提供装置１０は、複数の製品の設計項目毎に、複数のリスクに分類して、リスク項目及びリスク値を含むリスク情報と該設計項目毎に設定される機種情報とを関連付けて記憶するリスク情報記憶部１１と、製品の設計項目毎の機種情報を入力するための機種情報入力部１２と、各機種情報に関連付けられた各リスク情報をリスク情報記憶部１１から抽出するリスク情報抽出部１３と、抽出された各リスク情報に基づいて、複数のリスクの各リスク評価値を算出するリスク評価値算出部１４〜１７と、各リスク評価値を出力するリスク評価情報出力部１８とを備える。【選択図】      図１
2008310507.tif 000002
【特許請求の範囲】
【請求項１】
複数の製品の設計項目毎に、複数のリスクに分類して、リスク項目及びリスク値を含むリスク情報と、該設計項目毎に設定される機種情報とを関連付けて記憶するリスク情報記憶手段と、
製品の設計項目毎の機種情報を入力するための機種情報入力手段と、
前記機種情報入力手段により入力された各機種情報に関連付けられた各リスク情報を前記リスク情報記憶手段から抽出するリスク情報抽出手段と、
前記リスク情報抽出手段により抽出された各リスク情報に基づいて、前記複数のリスクに対応する各リスク評価値を算出するリスク評価値算出手段と、
前記リスク評価値算出手段により算出された各リスク評価値を出力するリスク評価情報出力手段と
を備えたことを特徴とする製品リスク情報提供装置。
【請求項２】
請求項１に記載の製品リスク情報提供装置において、
前記複数のリスクは、工学的リスクと医学的リスクと生態学的リスクと社会的リスクとを含む
ことを特徴とする製品リスク情報提供装置。
【請求項３】
請求項１または請求項２に記載の製品リスク情報提供装置において、
前記リスク評価情報出力手段は、
前記各リスクに対応する機種情報と前記各リスク評価値とを該リスク毎に分類して表示するリスク評価画面データを生成する手段と、
前記リスク評価画面データを出力する手段と
を備えたことを特徴とする製品リスク情報提供装置。
【請求項４】
請求項１乃至請求項３のいずれか１項に記載の製品リスク情報提供装置において、
前記複数のリスク毎に個別に設定された各統合化係数を記憶する統合化係数記憶手段と、
前記各リスク評価値と前記各統合化係数とに基づいて統合リスク評価値を算出する統合リスク評価値算出手段と、
前記統合リスク評価値を出力する手段と
を備えたことを特徴とする製品リスク情報提供装置。
【請求項５】
請求項４に記載の製品リスク情報提供装置において、
前記統合リスク評価値算出手段は、前記各リスク評価値と前記各統合化係数との積である換算リスク評価値を前記リスク毎に算出し、該各換算リスク評価値を足して統合リスク評価値を算出する
ことを特徴とする製品リスク情報提供装置。
【請求項６】
請求項４または請求項５に記載の製品リスク情報提供装置において、
前記統合化係数記憶手段に、新たな統合化係数を書き込むための手段
を備えたことを特徴とする製品リスク情報提供装置。
【請求項７】
請求項１乃至請求項６のいずれか１項に記載の製品リスク情報提供装置において、
前記機種情報入力手段は、比較する製品数を設定し、該設定された製品数分の製品の機種情報を入力するための手段を備え、
前記リスク情報出力手段は、
前記設定された製品数分の製品の各リスク値を、前記リスク毎に分類して表示する比較画面データを生成する手段と、
前記比較画面データを出力する手段と
を備えたことを特徴とする製品リスク情報提供装置。
【発明の詳細な説明】
【技術分野】
【０００１】
本発明は、低リスクの製品の選定をサポートし得る製品リスク情報提供装置に関する。
【背景技術】
【０００２】
従来から、発送変電システムにおいて使用される高電圧機器等の製品を使用する際には、種々のリスクが生じている。
【０００３】
具体的には、製品の使用に際して発生するリスクとして、（１）爆発・火災などの工学的リスク、（２）製造者や使用者の健康に害を及ぼす医学的リスク、（３）動植物や自然環境に負荷を及ぼす生態学的リスク、（４）景観破壊・風評被害による社会的リスク等が挙げられる。
【０００４】
そのため、新たに製品を導入する場合には、上記各リスクの総合的な影響を考慮する必要がある。すなわち、製品の選定に有用なリスクを算定するためには、製品の使用によって発生する広範囲のリスクを評価する必要がある。
【０００５】
このようなリスクを評価する技術として、以下のものが挙げられる。
【０００６】
特許文献１には、サプライチェーンを通した成分組成やリスク情報をデータベースに記録し、法的な要求事項に基づく項目を提示する技術が開示されている。
【０００７】
特許文献２には、製品の構成項目と有害物質のデータから、購入部品中の有害物質含有部位の特定や購入部材を選択する作業を効果的に行う技術が開示されている。
【０００８】
特許文献３には、ライフサイクルの各段階に対し環境負荷原単位を用いて、入力された生産計画に基づき環境汚染物質の排出量を算出するとともに、環境影響評価係数、廃棄方法の種別毎の廃棄コストを用いて、企業コスト、ユーザコスト（リサイクル）、社会コスト（インパクト）、潜在コストを算出する技術が開示されている。
【０００９】
特許文献４には、周囲に存在する情報を手がかりとすることにより複数の環境リスク情報を提供する技術が開示されている。
【特許文献１】特開２００６―７２４０４号公報
【特許文献２】特開２００６−５９０９１号公報
【特許文献３】特開２００５−１６５４６９号公報
【特許文献４】特開２００６―２４４０３２号公報
【発明の開示】
【発明が解決しようとする課題】
【００１０】
上述したように、従来においては、個別のリスク評価が試みられている。
【００１１】
しかしながら、上述した特許文献１・２の技術では、化学物質によりもたらされるリスクを評価するものであり、使用によって生じる事故発生のリスクなど、その他のリスクを含めて考慮することができるものではない。
【００１２】
また、特許文献３の技術では、廃棄方法の獲得を主眼に置くものとなっており、製品の選定に必要なリスク評価情報を得ることができない。同様に、特許文献４の技術では、リスク認知の獲得を主眼に置くものとなっており、製品の選定に必要なリスク評価情報を得ることができない。
【００１３】
要するに、従来の技術では、複数のリスクの評価を総合的に得ることができるものではない。そのため、あるリスクが他のリスクとトレードオフの関係になっている場合等においては、低リスクの製品の選定に必要な情報を得ることができないという問題がある。
【００１４】
本発明は上記実情に鑑みてなされたものであり、低リスクの製品の選定をサポートし得る製品リスク情報提供装置を提供することを目的とする。
【課題を解決するための手段】
【００１５】
本発明は上記課題を解決するために以下の手段を講じる。
【００１６】
請求項１に対応する発明は、複数の製品の設計項目毎に、複数のリスクに分類して、リスク項目及びリスク値を含むリスク情報と該設計項目毎に設定される機種情報とを関連付けて記憶するリスク情報記憶手段と、製品の設計項目毎の機種情報を入力するための機種情報入力手段と、前記機種情報入力手段により入力された各機種情報に関連付けられた各リスク情報を前記リスク情報記憶手段から抽出するリスク情報抽出手段と、前記リスク情報抽出手段により抽出された各リスク情報に基づいて、前記複数のリスクの各リスク評価値を算出するリスク評価値算出手段と、前記リスク評価値算出手段により算出された各リスク評価値を出力するリスク評価情報出力手段とを備えた製品リスク情報提供装置である。
【００１７】
請求項２に対応する発明は、請求項１に対応する製品リスク情報提供装置において、前記複数のリスクは、工学的リスクと医学的リスクと生態学的リスクと社会的リスクとを含む製品リスク情報提供装置である。
【００１８】
請求項３に対応する発明は、請求項１または請求項２に対応する製品リスク情報提供装置において、前記リスク評価情報出力手段は、前記各リスクに対応する機種情報と前記各リスク評価値とを該リスク毎に分類して表示するリスク評価画面データを生成する手段と、前記リスク評価画面データを出力する手段とを備えた製品リスク情報提供装置である。
【００１９】
請求項４に対応する発明は、請求項１乃至請求項３のいずれか１項に対応する製品リスク情報提供装置において、前記複数のリスク毎に個別に設定された各統合化係数を記憶する統合化係数記憶手段と、前記各リスク評価値と前記各統合化係数とに基づいて統合リスク評価値を算出する統合リスク評価値算出手段と、前記統合リスク評価値を出力する手段とを備えた製品リスク情報提供装置である。
【００２０】
請求項５に対応する発明は、請求項１乃至請求項４のいずれか１項に対応する製品リスク情報提供装置において、前記統合リスク評価値算出手段は、前記各リスク評価値と前記各統合化係数との積である換算リスク評価値を前記リスク毎に算出し、該各換算リスク評価値を足して統合リスク評価値を算出する製品リスク情報提供装置である。
【００２１】
請求項６に対応する発明は、請求項４または請求項５に対応する製品リスク情報提供装置において、前記統合化係数記憶手段に、新たな統合化係数を書き込むための手段を備えた製品リスク情報提供装置である。
【００２２】
請求項７に対応する発明は、請求項１乃至請求項６のいずれか１項に対応する製品リスク情報提供装置において、前記機種情報入力手段は、比較する製品数を設定し、該設定された製品数分の製品の機種情報を入力するための手段を備え、前記リスク情報出力手段は、前記設定された製品数分の製品の各リスク値を、前記リスク毎に分類して表示する比較画面データを生成する手段と、前記比較画面データを出力する手段とを備えた製品リスク情報提供装置である。
【００２３】
＜用語＞
本発明における用語の意味を以下に説明する。
【００２４】
「リスク」とは、ある現象に対して生じる損害責任のことである。
【００２５】
「リスク評価値」とは、損害が生じた場合の損害額の大きさを示したものである。
【００２６】
「工学的リスク」とは、製品使用時に発生する爆発や機器トラブルによる火災が生じるリスクのことである。
【００２７】
「医学的リスク」とは、製品のメンテナンスに使用したり、製品に含有されたりしている化学物質が漏れ出すなどして、製造者や製品使用者の健康を害するリスクのことである。
【００２８】
「生態学的リスク」とは、化学物質が漏れ出すなどして、周囲に生息する動植物や生態系を害するリスクのことである。前述の医学的リスクの対象が人間であるのに対し、生態学的リスクは人間以外のものを対象としている。
【００２９】
「社会的リスク」とは、製品使用中に発生する騒音や景観破壊などにより、周辺住民の生活を害するリスクのことである。
【００３０】
＜作用＞
従って、本発明は以上のような手段を講じたことにより、以下の作用を有する。
【００３１】
請求項１に対応する発明は、複数の製品の設計項目毎に、複数のリスクに分類して、リスク項目及びリスク値を含むリスク情報と該設計項目毎に設定される機種情報とを関連付けて記憶するリスク情報記憶手段と、製品の設計項目毎の機種情報を入力するための機種情報入力手段と、各機種情報に関連付けられた各リスク情報をリスク情報記憶手段から抽出するリスク情報抽出手段と、抽出された各リスク情報に基づいて、複数のリスクの各リスク評価値を算出するリスク評価値算出手段と、各リスク評価値を出力するリスク評価情報出力手段とを備えた構成により、１の機種情報から複数のリスク評価値を出力するので、あるリスクが他のリスクとトレードオフの関係になっている場合等においても、低リスクの製品の選定をサポートし得る製品リスク情報提供装置を提供できる。
【００３２】
請求項２に対応する発明は、請求項１に対応する作用に加え、複数のリスクが、工学的リスクと医学的リスクと生態学的リスクと社会的リスクとを含むので、１の機種情報から、これら４つのリスクのリスク評価値を得ることができる。
【００３３】
請求項３に対応する発明は、請求項１・２に対応する作用に加え、リスク評価情報出力手段が、各リスクに対応する機種情報と各リスク評価値とをリスク毎に分類して表示するリスク評価画面データを生成する手段と、リスク評価画面データを出力する手段とを備えているので、複数のリスクの評価を同一画面に表示することができる。
【００３４】
請求項４・５に対応する発明は、請求項１〜３のいずれか１項に対応する作用に加え、複数のリスク毎に個別に設定された各統合化係数を記憶する統合化係数記憶手段と、各リスク評価値と各統合化係数とに基づいて統合リスク評価値を算出する統合リスク評価値算出手段と、統合リスク評価値を出力する手段とを備えた構成により、複数のリスクを統合した評価をユーザに提示することができる。
【００３５】
請求項６に対応する発明は、請求項４・５に対応する作用に加え、統合化係数記憶手段に、新たな統合化係数を書き込むための手段を備えているので、任意の統合化係数をユーザに設定させることができる。それゆえ、ユーザは、使用条件に応じたリスクを反映させた統合リスク評価値を得ることができる。
【００３６】
請求項７に対応する発明は、請求項１〜６のいずれか１項に対応する作用に加え、機種情報入力手段が、比較する製品数を設定し、該設定された製品数分の製品の機種情報を入力するための手段を備え、リスク情報出力手段が、設定された製品数分の製品の各リスク値を、リスク毎に分類して表示する比較画面データを生成する手段と、比較画面データを出力する手段とを備えているので、異なるリスクを有する複数の製品の評価を同一画面に表示することができる。
【発明の効果】
【００３７】
本発明によれば、低リスクの製品の選定をサポートし得る製品リスク情報提供装置を提供することができる。
【発明を実施するための最良の形態】
【００３８】
以下、図面を参照して本発明の実施形態を説明する。
【００３９】
＜第1の実施形態＞
（１−１．構成）
図１は本発明の第１の実施形態に係る製品リスク情報提供装置１０の構成を示す模式図である。
【００４０】
製品リスク情報提供装置１０は、リスク情報記憶部１１・機種情報入力部１２・リスク情報抽出部１３・工学的リスク評価値算出部１４・医学的リスク評価値算出部１５・生態学的リスク評価値算出部１６・社会的リスク評価値算出部１７・リスク評価情報出力部１８を備えている。
【００４１】
リスク情報記憶部１１は、複数の製品の設計項目毎に、複数のリスクに分類して、「リスク項目」及び「リスク値」を含むリスク情報と、設計項目毎に設定される「機種情報」とを関連付けて記憶する記憶装置である。
【００４２】
具体的には、リスク情報記憶部１１は、図２に示すように、個別に製品ＩＤが割り当てられた複数のテーブル情報を記憶する。このテーブル情報には、製品の設計項目として、製品名・用途・設置場所・使用期間・使用温度・気圧・使用材料・分解方法・廃棄条件が設定されている。また、各テーブル情報は、工学的リスクと医学的リスクと生態学的リスクと社会的リスクとに分類され、リスク毎にリスク項目が記憶されている。また、そのリスク項目に対応する数値がリスク値として記憶されている。図２においては、括弧内の数値がリスク値を表わしている。
【００４３】
なお、リスク項目としては、図３に示すようなものが挙げられる。すなわち、工学的リスクに関しては、発生事故種類・発生メカニズム・発生条件・発生頻度・被害規模・経済的損失がある（図３（Ａ）参照）。また、医学的リスクに関しては、発生現象種類・発生メカニズム・発生条件・発生頻度・被害規模がある（図３（Ｂ）参照）。また、生態学的リスクに関しては、発生被害種類・発生メカニズム・個人的影響度・発生条件・発生頻度・被害規模がある（図３（Ｃ）参照）。そして、社会的リスクには、発生事象種類・発生条件・発生頻度・発生範囲・地域特性・近隣の風評価値・近隣の経済的損失がある（図３（Ｄ）参照）。
【００４４】
機種情報入力部１２は、製品の設計項目毎の機種情報を入力するためのものであり、一般的なキーボードやマウスなどにより構成される。ここでは、製品名と製品ＩＤとが一対一に対応付けられており、製品名の入力により製品が指定されることになる。
【００４５】
リスク情報抽出部１３は、機種情報入力部１２により入力された各機種情報に関連付けられたリスク情報をリスク情報記憶部１１から抽出するものである。ここでは、製品名と製品ＩＤとが一対一に対応付けられており、機種情報入力部１２により製品名が入力されると対応するテーブル情報が選択される。そして、選択されたテーブル情報から、入力された機種情報に該当するリスク情報が抽出される。
【００４６】
例えば、図４に示すように、機種情報として、製品名に“Ａ”、用途に“送電”、設置場所に“屋内”、使用期間に“２０年”、使用温度に“５０℃”、気圧に“大気圧”、使用材料に“鉄５０ｋｇ・銅１０ｋｇ・アルミニウム８００ｍｇ”、分解方法に“熱分解”、廃棄条件に“３００℃”が入力されると、図２に示すテーブル情報から対応するリスク情報が抽出される。これにより、工学的リスク・医学的リスク・生態学的リスク・社会的リスクの各リスクのリスク項目毎の数値が集計される（図３参照）。なお、集計されたリスク項目毎の数値は各リスク評価値算出部１４〜１７に送出される。
【００４７】
工学的リスク評価値算出部１４は、リスク情報抽出部１３により抽出された工学的リスクのリスク情報に基づいて、「工学的リスク評価値」を算出するものである。ここでは、工学的リスクのリスク項目毎に換算係数が設定されており、各換算係数と各リスク項目の数値とを掛け合わせ、その和を求めることで工学的リスク評価値が算出される。例えば、前述の図３（Ａ）に示す数値を用いて製品Ａの工学的リスク評価値を求めると、３×３＋２×１＋１×２＋１×３＋３×１＋１×１＝２０となる。
【００４８】
医学的リスク評価値算出部１５は、リスク情報抽出部１３により抽出された医学的リスクのリスク情報に基づいて、「医学的リスク評価値」を算出するものである。医学的リスク評価値は、工学的リスク評価値の算出方法と同様の算出方法により求められ、前述の図３（Ｂ）に示す数値を用いて製品Ａの医学的リスク評価値を求めると、１×１＋１×２＋１×２＋１×１＋１×３＝９となる。
【００４９】
生態学的リスク評価値算出部１６は、リスク情報抽出部１３により抽出された生態学的リスクのリスク情報に基づいて、「生態学的リスク評価値」を算出するものである。生態学的リスク評価値は、工学的リスク評価値の算出方法と同様の算出方法により求められ、前述の図３（Ｃ）に示す数値を用いて製品Ａの生態学的リスク評価値を求めると、１×２＋４×４＋３×１＋４×０．５＋１×１＋４×２＝３２となる。
【００５０】
社会的リスク評価値算出部１７は、リスク情報抽出部１３により抽出された社会的リスクのリスク情報に基づいて、「社会的リスク評価値」を算出するものである。社会的リスク評価値は、工学的リスク評価値の算出方法と同様の算出方法により求められ、前述の図３（Ｄ）に示す数値を用いて製品Ａの社会的リスク評価値を求めると、１×１＋１×２＋１×３＋１×４＋２×２＋３×２＋３×１＝２３となる。
【００５１】
リスク評価情報出力部１８は、各リスク評価値算出部１４〜１７により算出された各リスク評価値を出力するものである。具体的には、リスク評価情報出力部１８は、各リスクに対応する機種情報と各リスク評価値とをリスク毎に分類して表示する「リスク評価画面データ」を生成する。そして、そのリスク評価画面データを、一般的なディスプレイ等に出力する。
【００５２】
（１−２．動作）
次に本実施形態に係る製品リスク情報提供装置１０の動作を図５のフローチャートを用いて説明する。また、製品リスク情報提供装置１０の動作に伴う画面遷移を図６〜図９を用いて説明する。
【００５３】
始めに、図６に示すようなメニュー選択画面Ｇ１上で、ユーザの操作により、“製品のリスク評価”の項目Ｋ１が選択される。これにより、単一の製品のリスク評価処理が開始される。
【００５４】
続いて、機種情報入力部１２を介して、製品の設計項目毎の機種情報が入力される（ステップＳ１）。ここでは、図７に示すような機種情報入力画面Ｇ２において、製品の設計項目欄に機種情報が入力される。これにより、図８に示すように、機種情報が入力された画面Ｇ３が表示されることになる。
【００５５】
この後、機種情報が入力された状態で“次へ”ボタンＢが押下されると、入力された各機種情報がリスク情報抽出部１３に送出される。そして、リスク情報抽出部１３により、入力された各機種情報に関連付けられたリスク情報がリスク情報記憶部１１から抽出される（ステップＳ２）。
【００５６】
続いて、リスク情報抽出部１３により抽出されたリスク情報に基づいて、工学的リスク評価値・医学的リスク評価値・生態学的リスク評価値・社会的リスク評価値のそれぞれが各リスク評価値算出部１４〜１７により算出される（ステップＳ３）。
【００５７】
そして、各リスク評価値算出部１４〜１７により算出された各リスク評価値がリスク評価情報出力部１８により出力される（ステップＳ４）。具体的には、リスク評価情報出力部１８により、「リスク評価画面データ」が生成され、そのリスク評価画面データが一般的なディスプレイ等に出力される。これにより、図９に示すように、各リスク評価値と、そのリスクの原因となる機種情報とがリスク毎に分類された一覧の画面Ｇ４が表示される。
【００５８】
（１−３．効果）
以上説明したように、本実施形態に係る製品リスク情報提供装置１０によれば、複数の製品の設計項目毎に、複数のリスクに分類して、リスク項目及びリスク値を含むリスク情報と該設計項目毎に設定される機種情報とを関連付けて記憶するリスク情報記憶部１１と、製品の設計項目毎の機種情報を入力するための機種情報入力部１２と、各機種情報に関連付けられた各リスク情報をリスク情報記憶部１１から抽出するリスク情報抽出部１３と、抽出された各リスク情報に基づいて、複数のリスクの各リスク評価値を算出するリスク評価値算出部１４〜１７と、各リスク評価値を出力するリスク評価情報出力部１８とを備えているので、１の機種情報から複数のリスク評価値を出力することができる。それゆえ、あるリスクが他のリスクとトレードオフの関係になっている場合等においても、低リスクの製品を選定できるようにユーザをサポートすることが可能である。
【００５９】
また、製品リスク情報提供装置１０によれば、複数のリスクが、工学的リスクと医学的リスクと生態学的リスクと社会的リスクとを含むので、１の機種情報から、これら４つのリスクのリスク評価値を提供できる。なお、製品の導入に際して、社会的リスクを検討することは、一般的には行われていない。
【００６０】
また、製品リスク情報提供装置１０は、リスク評価情報出力部１８が、各リスクに対応する機種情報と各リスク評価値とをリスク毎に分類して表示するリスク評価画面データを生成し、そのリスク評価画面データを出力するので、複数のリスクの評価を同一画面に表示することができる。これにより、工学的リスクと医学的リスクと生態学的リスクと社会的リスクとを同一画面でユーザに確認させることができる。
【００６１】
また、製品リスク情報提供装置１０は、リスクの原因となる機種情報をユーザに提示する。それゆえ、ユーザは、機種情報のどの部分からリスクが発生するのかを察知することができ、その仕様を変更することによって、リスクの発生を未然に防ぐことができる。
【００６２】
＜第２の実施形態＞
図１０は本発明の第２の実施形態に係る製品リスク情報提供装置１０Ｓの構成を示す模式図である。なお、既に説明した部分と同一部分には同一符号を付し、特に説明がない限りは重複した説明を省略する。また、以下の各実施形態も同様にして重複した説明を省略する。
【００６３】
本実施形態に係る製品リスク情報提供装置１０Ｓは、第１の実施形態に係る製品リスク情報提供装置１０が、統合化係数記憶部２０・統合化係数入力部２１・統合リスク評価値算出部２２をさらに備えたものである。
【００６４】
統合化係数記憶部２０は、複数のリスク毎に個別に設定された各「統合化係数」を記憶する記憶装置である。また、統合化係数記憶部２０は、異なる規格に対応してリスク評価できるように、複数の組の統合化係数を記憶する。具体的には、図１１に示すように、日本版被害算定型ライフサイクル環境影響評価手法（ＬＩＭＥ：Life-cycle Impact assessment Method based on Endpoint modeling）や、欧州の環境影響評価手法であるEco-indicator99などに対応するように、工学的リスクと医学的リスクと生態学的リスクと社会的リスクとの各統合化係数を記憶している。さらに、統合化係数記憶部２０は、後述する統合化係数入力部２１により、任意に設定した統合化係数を記憶することも可能である。
【００６５】
統合化係数入力部２１は、統合化係数記憶部２０に、新たな統合化係数を書き込むものであり、一般的なキーボードやマウスなどにより構成される。この統合化係数入力部２１により、ユーザは、任意の統合化係数を設定することが可能となる。
【００６６】
統合リスク評価値算出部２２は、各リスク評価値と各統合化係数とに基づいて「統合リスク評価値」を算出するものである。
【００６７】
具体的には、統合リスク評価値算出部２２は、各リスク評価値算出部１４〜１７により出力された各リスク評価値と、統合化係数記憶部２０に記憶された各統合化係数との積を求め、リスク毎に換算リスク評価値を算出する。そして、それらの各換算リスク評価値を足して統合リスク評価値を算出する。
【００６８】
本実施形態において、図１１に示された統合化係数を用いた場合、ＬＩＭＥに対応させた統合リスク評価値は、２０×２＋３２×２＋９×１＋２３×２＝１５９となる。また、Eco-indicator99に対応させた統合リスク評価値は、２０×３＋３２×２＋９×２＋２３×２＝１８８となる。また、任意に設定した統合リスク評価値は、２０×２＋３２×２＋９×１＋２３×１＝１３６となる。
【００６９】
また、本実施形態に係るリスク評価情報出力部１８Ｓは、各リスクのリスク評価値を出力する機能だけでなく、統合リスク評価値を出力する機能も有している。これにより、例えば図１２に示すように、各リスク評価値と統合リスク評価値とを同一画面Ｇ５に表示させることができるようになる。
【００７０】
上述したように、本実施形態に係る製品リスク情報提供装置１０Ｓは、複数のリスク毎に個別に設定された各統合化係数を記憶する統合化係数記憶部２０と、各リスク評価値と各統合化係数とに基づいて統合リスク評価値を算出する統合リスク評価値算出部２２と、統合リスク評価値を出力するリスク評価情報出力部１８Ｓとを備えた構成により、複数のリスクを統合した評価をユーザに提示することができる。
【００７１】
また、製品リスク情報提供装置１０Ｓは、統合化係数記憶部２０に、新たな統合化係数を書き込むための統合化係数入力部２１を備えているので、任意の統合化係数の設定が可能である。それゆえ、ユーザは、使用条件に応じたリスクを反映させて、統合化係数を設定することができる。
【００７２】
＜第３の実施形態＞
図１３は本発明の第３の実施形態に係る製品リスク情報提供装置１０Ｔの構成を示す模式図である。
【００７３】
機種情報入力部１２Ｔは、比較する製品数を設定し、該設定された製品数分の製品の機種情報を入力する機能を有している。ここでは、比較する製品数は、予め製品数と関連付けられたリスト項目が選択されること等により設定される。例えば、図１４の表示画面Ｇ６で、“製品の比較評価”の項目Ｋ２が機種情報入力部１２Ｔにより選択されると、比較する製品数が“２”と設定されることになる。
【００７４】
リスク評価情報出力部１８Ｔは、比較情報生成部３０をさらに備えている。そして、この比較情報生成部３０は、機種情報入力部１２Ｔにより設定された製品数分の製品の各リスク値を、リスク毎に分類して表示する「比較画面データ」を生成する機能を有している。
【００７５】
次に本実施形態に係る製品リスク情報提供装置１０Ｔの動作に伴う画面遷移を図１４〜図１９を用いて説明する。
【００７６】
始めに、図１４に示すようなメニュー選択画面Ｇ６上で、ユーザの操作により、“製品の比較評価”の項目Ｋ２が選択される。これにより、比較する製品数が“２”と設定される。
【００７７】
続いて、機種情報入力部１２を介して、２つの製品についての設計項目毎の機種情報が入力される。ここでは、まず、図１５に示すような画面Ｇ７において、設計項目欄に製品１の機種情報が入力される。そして、図１６に示すような画面Ｇ８において“次へ”ボタンＢが押下されると、図１７に示すように、製品２の機種情報の入力を促す画面Ｇ９が表示される。そして、設計項目欄に製品２の機種情報が入力されてから、図１８に示すような画面Ｇ１０において“次へ”ボタンＢが押下されると、製品１の機種情報と製品２の機種情報とがリスク情報抽出部１３に送出される。
【００７８】
そして、リスク情報抽出部１３により、各機種情報に関連付けられたリスク情報がリスク情報記憶部１１から抽出される。
【００７９】
続いて、各リスク評価値算出部１４〜１７により、工学的リスク評価値・医学的リスク評価値・生態学的リスク評価値・社会的リスク評価値のそれぞれが製品毎に算出される。また、統合リスク評価値算出部２２により統合リスク評価値が算出される。そして、これらの各リスク評価値が製品毎に比較情報生成部３０に送出される。
【００８０】
この後、比較情報生成部３０により、製品とリスクとを軸として各リスク値を表示する比較画面データが生成される。生成された比較画面データは、リスク評価情報出力部１８によりディスプレイ等に出力される。ここでは、図１９に示すように、リスクと製品とを軸として、各リスク評価値と、そのリスクの原因となる機種情報とが同一画面Ｇ１１に表示される。また、統合化係数と製品とを軸として、統合リスク評価値が同一画面Ｇ１１に表示される。
【００８１】
以上説明したように、本実施形態に係る製品リスク情報提供装置１０Ｔによれば、機種情報入力部１２Ｔが比較する製品数を設定し、比較情報生成部３０が設定された製品数分の製品の各リスク値を、リスク毎に分類して表示する比較画面データを生成する。それゆえ、ユーザは、異なるリスクを有する複数の製品のいずれかの導入を検討する際に、低リスクの製品の選定をできるようになる。
【００８２】
また、本実施形態に係る製品リスク情報提供装置１０Ｔによれば、比較する製品数を設定し、該設定された製品数分の製品の機種情報を入力するための機種情報入力部１２Ｔと、設定された製品数分の製品の各リスク値を、リスク毎に分類して表示する比較画面データを生成する比較情報生成部３０と、比較画面データを出力するリスク評価情報出力部１８Ｔとを備えているので、異なるリスクを有する複数の製品の評価を同一画面Ｇ１１に表示することができる。これにより、ユーザが複数の製品のうちのいずれかの導入を検討する際に、低リスクの製品の選定をサポートすることができる。
【００８３】
また、製品リスク情報提供装置１０Ｔは、異なるリスクを持つ複数の機種の評価結果をリスク毎に分類して出力する。このため、例えば、何らかの手段により生態学的リスクの低減が可能な場合に、生態学的リスクが高くても工学的リスクの低い製品を選定する等の判断をユーザができるようになる。
【００８４】
＜その他＞
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００８５】
【図１】本発明の第１の実施形態に係る製品リスク情報提供装置１０の構成を示す模式図である。
【図２】同実施形態に係るリスク情報記憶部１１の構成を示す模式図である。
【図３】同実施形態に係るリスク情報のリスク項目を示す模式図である。
【図４】同実施形態に係る機種情報の例を示す模式図である。
【図５】同実施形態に係る製品リスク情報提供装置１０の動作を説明するためのフローチャートである。
【図６】同実施形態に係る製品リスク情報提供装置１０が出力する画面Ｇ１の模式図である。
【図７】同実施形態に係る製品リスク情報提供装置１０が出力する画面Ｇ２の模式図である。
【図８】同実施形態に係る製品リスク情報提供装置１０が出力する画面Ｇ３の模式図である。
【図９】同実施形態に係る製品リスク情報提供装置１０が出力する画面Ｇ４の模式図である。
【図１０】本発明の第２の実施形態に係る製品リスク情報提供装置１０Ｓの構成を示す模式図である。
【図１１】同実施形態に係る統合化係数記憶部２０の構成を示す模式図である。
【図１２】同実施形態に係る製品リスク情報提供装置１０Ｓが出力する画面Ｇ５の模式図である。
【図１３】本発明の第３の実施形態に係る製品リスク情報提供装置１０Ｔの構成を示す模式図である。
【図１４】同実施形態に係る製品リスク情報提供装置１０Ｔが出力する画面Ｇ６の模式図である。
【図１５】同実施形態に係る製品リスク情報提供装置１０Ｔが出力する画面Ｇ７の模式図である。
【図１６】同実施形態に係る製品リスク情報提供装置１０Ｔが出力する画面Ｇ８の模式図である。
【図１７】同実施形態に係る製品リスク情報提供装置１０Ｔが出力する画面Ｇ９の模式図である。
【図１８】同実施形態に係る製品リスク情報提供装置１０Ｔが出力する画面Ｇ１０の模式図である。
【図１９】同実施形態に係る製品リスク情報提供装置１０Ｔが出力する画面Ｇ１１の模式図である。
【符号の説明】
【００８６】
１０・・・製品リスク情報提供装置、１１・・・リスク情報記憶部、１２・・・機種情報入力部、１３・・・リスク情報抽出部、１４・・・工学的リスク評価値算出部、１５・・・医学的リスク評価値算出部、１６・・・生態学的リスク評価値算出部、１７・・・社会的リスク評価値算出部、１８・・・リスク評価情報出力部、２０・・・統合化係数記憶部、２１・・・統合化係数入力部、２２・・・統合リスク評価値算出部、３０・・・比較情報生成部。
【図１】
2008310507.tif 000003
【図２】
2008310507.tif 000004
【図３】
2008310507.tif 000005
【図４】
2008310507.tif 000006
【図５】
2008310507.tif 000007
【図６】
2008310507.tif 000008
【図７】
2008310507.tif 000009
【図８】
2008310507.tif 000010
【図９】
2008310507.tif 000011
【図１０】
2008310507.tif 000012
【図１１】
2008310507.tif 000013
【図１２】
2008310507.tif 000014
【図１３】
2008310507.tif 000015
【図１４】
2008310507.tif 000016
【図１５】
2008310507.tif 000017
【図１６】
2008310507.tif 000018
【図１７】
2008310507.tif 000019
【図１８】
2008310507.tif 000020
【図１９】
2008310507.tif 000021